(57)【要約】      （修正有）【課題】食品包装用容器の食品収容部の底面に、複数個の小容器を載置できるようにするとともに、食品収容部の底面に小容器を載置した際に小容器がずれないようにすること、小容器を載置した複数の食品包装用容器を安定した状態で積み重ねられようにすること、及び複数の食品包装用容器を用いて食品を見栄えよく配置できるようにすること。【解決手段】平面視が円弧状のしきり壁４が設けられている内容器１、枠材２を備える食品包装用容器であって、内容器１の底面５には小容器７の底部を受け入れ可能な溝部８が複数箇所に形成され、小容器７を載置した状態で内容器１の上面全体を覆うことのできる蓋９を有している。また、内容器１の外縁３の四隅の内側には突起１０が形成され、枠材２の高さは小容器７の高さより大きく設定されている。【選択図】図４
2020125149.tif 000002
【特許請求の範囲】
【請求項１】
食品収容部に複数個の小容器を載置可能な底面が設けられ、
前記小容器の底部を受け入れ可能な溝部又は凹部が前記底面の複数箇所に形成されている
ことを特徴とする食品包装用容器。
【請求項２】
前記小容器を前記底面に載置した状態で、前記食品収容部の上面全体を覆うことのできる蓋を有する
ことを特徴とする請求項１に記載の食品包装用容器。
【請求項３】
食品収容部と上面が平らな外縁を有する内容器と該内容器を保持する枠材を備え、
前記内容器の隅部の前記外縁の内側に突起が形成され、
前記枠材の高さは前記小容器の高さより大きい
ことを特徴とする請求項１又は２に記載の食品包装用容器。
【請求項４】
前記食品収容部には平面視が円弧状のしきり壁が設けられている
ことを特徴とする請求項１〜３のいずれかに記載の食品包装用容器。
【発明の詳細な説明】
【技術分野】
【０００１】
本発明は、ごはん類、麺類、各種惣菜などの食品を収納するための食品包装用容器に関する。
【背景技術】
【０００２】
このような食品包装用容器として、特許文献１（特許第３９８９８５２号公報）に記載されているように、容器本体の上面にカップ(6)を着脱自在に嵌め込むことのできる収納凹所(4)を設けるもの（特に、段落０００９及び図１、２を参照）や、特許文献２（実公平１−１９８６４号公報）に記載されているように、容器本体の上面に円筒状のコップ、缶ジュース等を収納できるコップ等用収納部(7)及び角型の牛乳パック等を収納できる段部(7a)を形成したもの（特に、第２頁左欄第１０〜１２行及び第１図を参照）が提案されている。
【０００３】
しかし、特許文献１及び２に記載の食品包装用容器は、カップや牛乳パックを収納するための凹部が１箇所しか設けられていないため、カップ等が保持される位置は固定されており、カップ等の保持位置に自由度がなかった。
また、容器本体に収容される食品とは別にカップ等に収容したいものが複数ある場合（例えば、複数のタレを収容したい場合や複数のデザート等を収容したい場合）には、対応することができなかった。
さらに、特許文献１及び２に記載の食品包装用容器は、カップ等や食品を収容した状態においては、積み重ねて運搬しにくいという問題もあった。
【先行技術文献】
【特許文献】
【０００４】
【特許文献１】特許第３９８９８５２号公報
【特許文献２】実公平１−１９８６４号公報
【発明の概要】
【発明が解決しようとする課題】
【０００５】
本発明は、食品包装用容器の食品収容部の底面に、複数個の小容器を載置できるようにするとともに、食品収容部の底面に小容器を載置した際に、小容器がずれないようにすることを第１の課題としてなされたものである。
また、本発明は、食品収容部の底面に小容器を載置したまま、食品収容部の上面全体を覆うことのできる蓋を被せられるようにして、食品の乾燥やほこりの付着を防ぐことを第２の課題としてなされたものである。
【０００６】
さらに、本発明は、食品収容部を有する内容器と枠材を組み合わせる組立式の食品包装用容器とするととともに、小容器を載置した複数の食品包装用容器を安定した状態で積み重ねられるようにすることを第３の課題とし、複数の食品包装用容器を用いて食品を見栄えよく配置できるようにすることを第４の課題としてなされたものである。
【課題を解決するための手段】
【０００７】
請求項１に係る発明の食品包装用容器は、食品収容部に複数個の小容器を載置可能な底面が設けられ、
前記小容器の底部を受け入れ可能な溝部又は凹部が前記底面の複数箇所に形成されていることを特徴とする。
【０００８】
請求項２に係る発明の食品包装用容器は、請求項１に記載の食品包装用容器において、
前記小容器を前記底面に載置した状態で、前記食品収容部の上面全体を覆うことのできる蓋を有することを特徴とする。
【０００９】
請求項３に係る発明の食品包装用容器は、請求項１又は２に記載の食品包装用容器において、
食品収容部と上面が平らな外縁を有する内容器と該内容器を保持する枠材を備え、
前記内容器の隅部の前記外縁の内側に突起が形成され、
前記枠材の高さは前記小容器の高さより大きいことを特徴とする。
【００１０】
請求項４に係る発明の食品包装用容器は、請求項１〜３のいずれかに記載の食品包装用容器において、
前記食品収容部には平面視が円弧状のしきり壁が設けられていることを特徴とする。
【発明の効果】
【００１１】
請求項１に係る発明の食品包装用容器は、食品収容部に複数個の小容器を載置可能な底面が設けられ、小容器の底部を受け入れ可能な溝部又は凹部が底面の複数箇所に形成されているので、食品収容部の底面に複数個の小容器を載置でき、かつ、食品収容部の底面に小容器を載置した際に、食品包装用容器を傾けたり移動させたりしても小容器が底面上で大きくずれることがない。
【００１２】
請求項２に係る発明によれば、請求項１に係る発明の食品包装用容器による効果に加えて、小容器を底面に載置した状態で食品収容部の上面全体を覆うことのできる蓋を有しているので、食品収容部及び小容器に収納されている食品の乾燥やほこりの付着を防ぐことができる。
【００１３】
請求項３に係る発明によれば、請求項１又は２に係る発明の食品包装用容器による効果に加えて、食品収容部と上面が平らな外縁を有する内容器と内容器を保持する枠材を備え、内容器の隅部の外縁の内側に突起が形成され、枠材の高さは小容器の高さより大きいので、食品収容部を有する内容器と枠材を組み合わせる組立式の食品包装用容器とすることができ、かつ、小容器を載置した複数の食品包装用容器を安定した状態で積み重ねることができる。
また、枠材の高さが高いため、食品包装用容器をテーブルに置いた時、見栄えがいいという効果もある。
さらに、内容器と枠材を分離可能とし組立式とするとともに、枠材を折り畳み可能とすれば、多数の内容器と枠材を別々に積み重ねて容易に輸送することができる。
【００１４】
請求項４に係る発明によれば、請求項１〜３のいずれかに係る発明の食品包装用容器による効果に加えて、食品収容部には平面視が円弧状のしきり壁が設けられているので、複数の食品包装用容器を用いて食品を見栄えよく配置できる（例えば、２つの食品包装用容器を用いて半円形状の底面に複数の小容器を適宜配置させることができ、４つの食品包装用容器を用いて円形状の底面に複数の小容器を適宜配置させることができる）。
【図面の簡単な説明】
【００１５】
【図１】実施例１に係る食品包装用容器の斜視図。
【図２】実施例１に係る内容器の平面図。
【図３】実施例１に係る食品包装用容器に小容器を配置した状態における平面図。
【図４】図３におけるＡ−Ａ線断面図。
【図５】実施例２に係る内容器の平面図。
【発明を実施するための形態】
【００１６】
以下、実施例によって本発明の実施形態を説明する。
【実施例１】
【００１７】
図１は実施例１に係る食品包装用容器の斜視図、図２は内容器１の平面図、図３は食品包装用容器に小容器７を配置した状態における平面図、図４は図３のＡ−Ａ線断面図である。
図１に示すとおり、実施例１に係る食品包装用容器は、薄いプラスチック製で一体成形により作製された内容器１と、折り畳み可能で開いた時に直方体状となる枠材２からなり、図１及び４に示すように、直方体状とした枠材２の上から内容器１を落とし込み、枠材２の上部に内容器１の外縁３を被せることによって組み立てられるようになっている。
そして、内容器１は、平面視が円弧状のしきり壁４と２つの底面５、６を有し、扇型の底面５には、図３及び４に示すような小容器７を複数個載置可能であるとともに、表面には小容器７の底部を受け入れ可能な溝部８が複数箇所に形成されている。
なお、小容器７としては底部が円形のもの及び矩形のものがあるので、実施例１では、溝部８として、図１〜３に示すように、円形状の溝と矩形状の溝があり、それらが適宜重なり合って形成されている。
また、円形状の溝及び矩形状の溝は、それぞれ小容器７の円形の底部及び矩形の底部と同形状となっている。
【００１８】
内容器１には、図１及び４に示すように、内容器１の上面全体を覆うことのできる透明なプラスチック製の蓋９を被せることができる。
そして、蓋９は小容器７を扇型の底面５に載置した状態で、内容器１の上面全体を覆うことができ、かつ、内容器１に蓋９を被せた状態において、小容器７の上縁と蓋９との間に隙間ができない高さとなっている。
そのため、小容器を載置した状態で食品包装用容器を傾けたり移動させたりしても、小容器が倒れにくく小容器内部の食品が散らばりにくいが、その効果を確実なものとするためには、扇型の底面５に複数個の小容器７を載置して蓋９を被せる場合、複数個の小容器７の高さは揃っていた方が良い。
【００１９】
内容器１の外縁３の四隅の内側には上方に突出する突起１０が設けてある。
これらの突起１０は、複数の食品包装用容器を枠材２の上面に積み重ねた時、上方にある枠材２の下部の内側に嵌って、上下の食品包装用容器がずれるのを抑える機能を有している。
なお、枠材２の高さは扇型の底面５に小容器７を載置した状態で複数の食品包装用容器を積み重ねられるようにするため、小容器７の高さより大きく設定してある。
また、実施例１では、蓋９を被せた場合においても、食品包装用容器を蓋９の外周部に載置することができるようになっている。
そのため、蓋９の外周部の四隅にはリブ１１を設けて強度を持たせてあり、食品包装用容器を蓋９の外周部に載置しても、蓋９がつぶれないようにしている。
そして、食品包装用容器に蓋９を被せて複数の食品包装用容器を積み重ねる場合、枠材２の高さは、小容器７の高さから枠材２の上面と蓋９の外周部との間隔を引いた高さとなるように設定すれば良い。
【実施例２】
【００２０】
図５は実施例２の食品包装用容器における内容器１２の平面図である。
実施例２の内容器１２は、図５に示すとおり、扇型の底面５に小容器７の底部を受け入れ可能な凹部１３が複数箇所に形成されている点のみで実施例１と異なっている。
そのため、図５に示す他の図面番号は図２と全て同じとし、詳しい説明は省略する。
そして、実施例２では、小容器７の底部を受け入れ可能な凹部１３として、図５に示すように、円形状の凹部と矩形状の凹部があり、それらが適宜重なり合って形成されている。
また、円形状の凹部及び矩形状の凹部は、それぞれ小容器７の円形の底部及び矩形の底部が丁度嵌入できる形状となっている。
【００２１】
実施例１及び２の変形例を列記する。
（１）実施例１においては、円形状の溝及び矩形状の溝が、それぞれ小容器７の円形の底部及び矩形の底部と同形状となっており、実施例２においては、円形状の凹部及び矩形状の凹部が、それぞれ小容器７の円形の底部及び矩形の底部が丁度嵌入できる形状となっているが、底面５に載置した小容器７が大きくずれることがない程度に溝や凹部を大きめに形成しても良い。
（２）実施例１においては、円形状の溝及び矩形状の溝が適宜重なり合って形成されているが、複数の円形状の溝を適宜重ね合わせて形成する態様、複数の矩形状の溝を適宜重ね合わせて形成する態様、複数の円形状の溝を別々に形成する態様、複数の矩形状の溝を別々に形成する態様、１又は複数の円形状の溝と１又は複数の矩形状の溝を別々に形成する態様のうち、いずれかの態様を選択しても良い。
また、実施例２においては、円形状の凹部及び矩形状の凹部が適宜重なり合って形成されているが、上記と同様に、複数の円形状の凹部を適宜重ね合わせて形成する態様、複数の矩形状の凹部を適宜重ね合わせて形成する態様、複数の円形状の凹部を別々に形成する態様、複数の矩形状の凹部を別々に形成する態様、１又は複数の円形状の凹部と１又は複数の矩形状の凹部を別々に形成する態様のうち、いずれかの態様を選択しても良い。
【００２２】
（３）実施例１及び２の内容器１及び１２は、一体成形により作製された薄いプラスチック製のものであるが、プラスチック製に限らず紙製のものであっても良い。
（４）実施例１及び２の食品包装用容器は、枠材２の上部に内容器１及び１２の外縁３を被せることによって組み立てられるようになっているが、組み立て式でなくても良い。
また、内容器１及び１２には平面視が円弧状のしきり壁４及び突起１０が設けてあるが、しきり壁４は設けなくても良く、突起１０は枠材２を用いない場合には不要である。
要するに、食品包装用容器が１つ以上の食品収容部を有するとともに、１つ以上の食品収容部の底面に複数個の小容器７が載置可能であって、その底面に小容器７の底部を受け入れ可能な溝部又は凹部が複数箇所に形成されていれば良い。
【００２３】
（５）実施例１及び２は、内容器１の上面全体を覆うことのできる透明なプラスチック製の蓋９を有しているが、蓋９は透明でなくても良く、紙製のものであっても良い。
また、食品包装用容器に小容器７及び食品を収容し、すぐに提供できる場合には蓋９を被せる必要もない。
（６）実施例１及び２においては、小容器７を扇型の底面５に載置した状態で、蓋９を内容器１に被せたとき、小容器７の上縁と蓋９との間に隙間ができないようにしているが、小容器７の上縁より蓋９の天面の方が高くなるようにしておけば良い。
すなわち、内容器１の外縁３に接する蓋９の外周部下縁と天面との高さの差に、内容器１の深さを足した大きさの方が、小容器７の高さより大きければ良い。
なお、扇型の底面５に載置する小容器７の高さが複数種類ある場合、最も高い小容器７の上縁と蓋９との間に隙間ができないようにするか、最も高い小容器７の上縁より蓋９の天面の方が高くなるようにしておけば良い。
（７）実施例１及び２の食品包装用容器は平面視が正方形の直方体状となっているが、平面視が長方形の直方体状であっても良い。
なお、平面視を長方形とした場合、円弧状のしきり壁４を、短辺又は長辺を半径とする円弧状のしきり壁に変更するか、楕円形を４分割した形状のしきり壁に変更する。
また、２つ又は４つの食品包装用容器を用いて見栄えを良くする場合には、しきり壁を短辺又は長辺に対して線対称に配置した２種類の食品包装用容器を用意する必要がある。
【符号の説明】
【００２４】
１  内容器      ２  枠材      ３  外縁      ４  しきり壁      ５、６  底面
７  小容器      ８  溝部      ９  蓋      １０  突起      １１  リブ
１２  実施例２の内容器      １３  凹部
【図１】
2020125149.tif 000003
【図２】
2020125149.tif 000004
【図３】
2020125149.tif 000005
【図４】
2020125149.tif 000006
【図５】
2020125149.tif 000007